(57)【要約】【課題】  指令部より送信された通信内容を各項目毎に記憶し、管理することで、適切な統計情報を作成することを容易にする無線通信システムを提供する。【解決手段】指令部と、指令部からの通信内容を管理する管理装置と、基地局と、無線端末装置で構成される無線通信システムであって、前記指令部からの情報を前記基地局と前記管理装置へ送信するための回線制御装置を有し、さらに、前記管理装置は、前記指令部より送信された情報の内容を記憶し、前記指令部若しくは前記無線端末装置からの要求に応じて、所定の情報を読み出し、出力することを特徴とした無線通信システム。【選択図】  図１
2007096759.tif 000002
【特許請求の範囲】
【請求項１】
指令部と、指令部からの通信内容を管理する管理装置と、基地局と、無線端末装置で構成される無線通信システムであって、
前記指令部からの情報を前記基地局と前記管理装置へ送信するための回線制御装置を有し、
さらに、前記管理装置は、前記指令部より送信された情報の内容を記憶し、前記指令部若しくは前記無線端末装置からの要求に応じて、所定の情報を読み出し、出力することを特徴とした無線通信システム。
【請求項２】
請求項１に記載の無線通信システムであって、
前記出力される所定の情報は、前記指令部若しくは前記無線端末装置からの要求によって、出力先を当該要求する端末へ任意に指定することにより、該指定された無線端末装置に対して指令部を介して出力されることを特徴とした無線通信システム。
【発明の詳細な説明】
【技術分野】
【０００１】
本発明は、無線通信システムに関し、特にデジタル移動通信システムの情報管理を行う無線通信システムに関するものである。
【背景技術】
【０００２】
従来、指令台のような上位装置、基地局および無線端末装置から構成される無線通信システムとして、例えば消防無線や市町村防災無線といった防災無線システムがある。
このような防災無線システムでは、指令台より様々な内容の通報指示が各基地局に送信され、各基地局を介して無線端末装置へ通報が行われていた。
上記のような無線通信システムとして例えば特許文献１がある。
【０００３】
【特許文献１】特開２００４−１５１１９号公報
【発明の開示】
【発明が解決しようとする課題】
【０００４】
上記従来の無線通信システムでは、例えば消防無線システムの場合、指令部より送信された通信の災害発生件数や、出場回数および出場時間など、出場実績を記録を行ってはいたが、各項目について関連が無かったため、統計情報を作成することが困難であった。
【０００５】
本発明は、上述したような課題を解決するために為されたもので、指令部より送信された通信内容を各項目毎に記憶し、管理することで、適切な統計情報を作成することを容易にする無線通信システムを提供することを目的とする。
【０００６】
また、本発明の他の目的は、指令部より送信された通信内容を各項目毎に記憶させた情報を予め定められた方法によって指令部へ通知することで、指令部より送信する通信内容を円滑に決定することを可能とする無線通信システムを提供することを目的とする。
【課題を解決するための手段】
【０００７】
上記目的を達成するため、請求項１に記載の無線通信システムは、指令部と、指令部からの通信内容を管理する管理装置と、基地局と、無線端末装置で構成される無線通信システムであって、前記指令部からの情報を前記基地局と前記管理装置へ送信するための回線制御装置を有し、さらに、前記管理装置は、前記指令部より送信された情報の内容を記憶し、前記指令部若しくは前記無線端末装置からの要求に応じて、所定の情報を読み出し、出力することを特徴とした。
【０００８】
また、上記目的を達成するため、請求項２に記載の無線通信システムは、請求項１に記載の無線通信システムであって、前記出力される所定の情報は、前記指令部若しくは前記無線端末装置からの要求によって、出力先を当該要求する端末へ任意に指定することにより、該指定された無線端末装置に対して指令部を介して出力されることを特徴とした。
【発明の効果】
【０００９】
本発明によると、指令部より送信された通信内容を各項目毎に記憶し、管理することで、適切な統計情報を作成することを容易にする無線通信システムを提供することができる。
【００１０】
さらに、本発明によると、指令部より送信された通信内容を各項目毎に記憶させた情報を予め定められた方法によって指令部へ通知することで、指令部より送信する通信内容を円滑に決定することを可能とする無線通信システムを提供することができる。
【発明を実施するための最良の形態】
【００１１】
本発明に係る実施例を図面を参照して説明する。
図１は、本発明の一実施例に係る無線通信システムの構成例を示す。
また、本説明では、消防・救急に係るデジタル行政無線を例に挙げて説明する。
本発明に係る無線通信システムは指令台１０１と回線制御装置１０２、管理監視制御装置１０３によって各消防署の情報が管理され、前記回線制御装置１０２は各消防署に設置されている基地局（１０４−(a)、１０４−(b)）と接続されている。ここでは、説明の簡略化のため、Ｂ消防署に設置されている基地局１０４−(a)と、Ｃ消防署に設置されている基地局１０４−(b)に接続されていることとして説明する。また、基地局を総称して説明する際には１０４と記載する。
更に１０５はＢ消防署の基地局１０４−(a)における通信エリアであり、１０６はＢ消防署の管轄エリア、１０７はＣ消防署の基地局１０４−(b)における通信エリア、１０８はＣ消防署の管轄エリアを示している。尚、１０９−(a)及び１０９−(b)は無線端末装置であり、総称する時には１０９と記載する。
【００１２】
図３は基地局１０４の概略構成を示した図である。基地局１０４は無線装置３０１と制御装置３０２を有している。無線装置３０１は、基地局１０４からの無線信号を移動局１０９に、例えば、無線キャリアＦ１で送信する送信用アンテナ３０３を有する送信用無線機３０４と、移動局１０９からの信号を、例えば無線キャリアｆ１で受信する受信用アンテナ３０５を有する受信用無線機３０６で構成されている。
また、制御部３０７と、記憶部３０８、他の装置との接続のための他装置接続部３０９によって構成されている制御装置３０２は、必要に応じて設置する事が可能であり、通信中の通信チャネルの監視等を行う。
【００１３】
図４は回線制御装置１０２の概略構成を示した図である。回線制御装置１０２は制御部４０１と、記憶部４０２、他装置に接続するための他装置接続部４０３を有した構成となっている。
【００１４】
図５は移動局１０９の概略構成を示した図である。移動局１０９は、例えば、上り方向無線キャリアｆ１および下り方向無線キャリアＦ１のペア波が用いられ、同時送受波ができる無線通信装置を示している。図５において、５０１は基地局１０４との送受信を行うためのアンテナ、５０２は送受切替を行うためのスイッチ、５０３は受信部、５０４は受信信号処理部、５０５はスピーカ、５０６は制御部、５０７は記憶部、５０８は操作表示部、５０９はマイク、５１０は送信信号処理部、５１１は送信部である。
【００１５】
本発明の動作について図２を用いて説明する。図２は本発明における動作の流れを示した図である。また、ここでは説明としてＢ消防署管轄エリア１０６内で火災が発生したこととして動作の流れを説明する。
出場要請が連絡されると、指令台１０１では管轄となっている消防署に対して出場指令を出力する（Ｓ２０１）。指令台１０１より送信された信号は回線制御装置１０２を介して出場対象となる管轄の消防署に設置されている基地局（この場合１０４−(a)。）と管理監視制御装置１０３に通知される（Ｓ２０２）。出場指令を受信した管理監視制御装置１０３では、指令内容の災害地点情報や出場隊情報等を管理監視制御装置内部に設けられた記憶部に記憶する（Ｓ２０３）。
また、回線制御装置を介して各情報を受信した基地局１０４−(a)は（Ｓ２０４）各無線端末装置１０９へ指令内容を通知する（Ｓ２０５）。さらに、通知される各無線端末装置は対象車両であれば、出場の有無に関わらず通知されることとなる。
また、出場要請の有無に関わらず、管理監視制御装置１０３で管理している各情報は指令台１０１若しくは無線端末装置１０９の要求に応じて、要求された所定の各情報を指令台１０１を介して出力先へ出力される。
【００１６】
ここで、管理監視制御装置１０３では、内部に設けてある記憶部に図６のような出場情報に関するメモリテーブルを有しており、受付番号、出場日時、出場種別、災害地点、災害クラス、出場した隊の隊名等の出場隊情報などが記憶される。これらの情報は、管理監視制御装置１０３で管理され、出場要請の有無に関わらず次回出場時に備えて、出場回数が多い地域や火災の規模等から必要に応じて災害地点周辺の消防署や無線端末の配置図等を指令台等の上位装置や無線端末装置へ通知することが可能となる（Ｓ２０６）。
【００１７】
さらに、指令台１０１及び管理監視制御装置１０３のどちらか一方、または両方では図６の受付番号に対応した災害クラスを示すメモリテーブルを有しており、災害クラス毎に情報を表示する事が可能になっている。
【００１８】
また、回線指令装置１０２では、各基地局１０４のスロットの空き状況を記憶部４０２に記憶されており、同様に各基地局１０４でも制御装置３０２が設置されている場合には、自身の通信チャネル空きスロットを制御部３０７で監視し、通信チャネルが使用されると、記憶部３０８に記憶するため、現在の通信状態が把握可能となっている。
【００１９】
本発明の実施の形態によると、災害地点情報並びに出場隊情報を無線回線制御装置から管理監視制御装置へ通知することで各消防署から出動した隊がどの方面へ出動したか集計を取ることが可能となり、さらに集計した情報から、出動実績帳票および統計表を管理監視制御装置にて画面出力・印刷などにて閲覧することが可能となる。
【００２０】
また、本発明の実施の形態によると、災害発生時に管理監視制御装置１０３に記憶されている各情報で、災害発生地点周辺で過去に発生した災害の情報が有る場合には指令台等の上位装置や各無線端末装置に各情報を送信し、画面出力または印字等により可視化することによって、指令を出す際に円滑に出場対象や応援の対象を決定することが可能になる。
以上、本発明について詳細に説明したが、本発明は、ここに記載された無線通信システムの実施例に限定されるものではなく、例えば、ＳＣＰＣ方式などの通信周波数が１波のみの割り当てである場合にも適用でき、上記以外の無線通信システムに広く適応することができることは言うまでも無い。
【図面の簡単な説明】
【００２１】
【図１】本発明の一実施例に係る無線通信システムの構成例を示す。
【図２】本発明における動作の流れを示した図。
【図３】基地局の概略構成を示した図。
【図４】回線制御装置の概略構成を示した図。
【図５】移動局の概略構成を示した図。
【図６】本発明における災害情報および出場隊情報を記憶するメモリテーブルの構成例。
【符号の説明】
【００２２】
１０１・・・指令台、                    １０２・・・回線制御装置、
１０３・・・管理監視制御装置、          １０４・・・基地局、
１０５・・・Ｂ署隊本部基地局エリア、    １０６・・・Ｂ署隊本部管轄、
１０７・・・Ｃ署隊本部基地局エリア、    １０８・・・Ｃ署隊本部管轄、
１０９・・・無線端末装置、              ３０１・・・無線装置、
３０２・・・制御装置、                  ３０３・・・送信用アンテナ、
３０４・・・送信用無線機、              ３０５・・・受信用アンテナ、
３０６・・・受信用無線機、              ３０７・・・制御部、
３０８・・・記憶部、                    ３０９・・・他装置接続部、
４０１・・・制御部、                    ４０２・・・記憶部、
４０３・・・他装置接続部、              ５０１・・・送受信用アンテナ、
５０２・・・送受切替えスイッチ、        ５０３・・・受信部、
５０４・・・受信信号処理部、            ５０５・・・スピーカ、
５０６・・・制御部、                    ５０７・・・記憶部、
５０８・・・操作表示部、                ５０９・・・マイク、
５１０・・・送信信号処理部、            ５１１・・・送信部。
【図１】
2007096759.tif 000003
【図２】
2007096759.tif 000004
【図３】
2007096759.tif 000005
【図４】
2007096759.tif 000006
【図５】
2007096759.tif 000007
【図６】
2007096759.tif 000008